(57)【要約】【課題】本発明は、空間安定装置の筐体を一対の板状シリコンゴム成形体を用いて挟持することにより、防振を行うことを目的とする。【解決手段】本発明による空間安定装置の防振取付構造は、一対の保持部材(12,16)で保持された一対の板状シリコンゴム成形体(13,15)によって筐体(2)を浮動状態で挟持することにより、取付部材(10)の取付面(11)からの振動等が各板状シリコンゴム成形体(13,15)により吸収される構成である。【選択図】図２
2006194378.tif 000002
【特許請求の範囲】
【請求項１】
空間安定装置(1)の筐体(2)を防振部材(4)を介して取付面(11)に固定するようにした空間安定装置の防振取付構造において、
前記防振部材(4)は、前記筐体(2)を挟持する少なくとも一対の第１、第２板状シリコンゴム成形体(13,15)と、前記第１板状シリコンゴム成形体(13)側から前記第１板状シリコンゴム成形体(13)、前記筐体(2)及び前記第２板状シリコンゴム成形体(15)を貫通して設けられた柱部(12A)を有し断面形状がＴ字型をなす第１保持部材(12)と、前記柱部(12A)の上部に形成されたねじ部(13a)と、前記第２板状シリコンゴム成形体(13)の上部に重合され前記柱部(12A)が貫通して突出するように設けられた第２保持部材(16)と、前記ねじ部(13a)に螺合され前記第２保持部材(16)を前記第１板状シリコンゴム成形体(13)側に付勢するための固定ナット(21)とを備えたことを特徴とする空間安定装置の防振取付構造。
【請求項２】
前記柱部(12A)に嵌挿された輪状カラー(14)は、前記筐体(2)に形成された孔(20)内に位置していることを特徴とする請求項１記載の空間安定装置の防振取付構造。
【請求項３】
前記筐体(2)の底部(3)には、前記防振部材(4)が複数個設けられていることを特徴とする請求項１又は２記載の空間安定装置の防振取付構造。
【発明の詳細な説明】
【技術分野】
【０００１】
本発明は、空間安定装置の防振取付構造に関し、特に、一対の板状シリコンゴム成形体を有する防振部材を空間安定装置の底部に設けることにより、取付面から空間安定装置へ伝わる振動及び衝撃を緩和し、内蔵するカメラの画像の安定及びカメラの保護を得るための新規な改良に関する。
【背景技術】
【０００２】
従来、用いられていたこの種の空間安定装置の防振取付構造としては、特許文献等を示していないが、ワイヤロープ（htto;//www.enidine.co.jp/cgi-bin/wire.htmに開示されている）を用いた防振器が採用されていた。
【発明の開示】
【発明が解決しようとする課題】
【０００３】
従来の空間安定装置の防振取付構造は、以上のように構成されていたため、次のような課題が存在していた。
すなわち、防振部材としてはワイヤロープを用いていたため、十分な防振性を得ることができず、空間安定装置内のカメラに対する防振を完全に行うことが困難であった。
【課題を解決するための手段】
【０００４】
本発明による空間安定装置の防振取付構造は、空間安定装置の筐体を防振部材を介して取付面に固定するようにした空間安定装置の防振取付構造において、前記防振部材は、前記筐体を挟持する少なくとも一対の第１、第２板状シリコンゴム成形体と、前記第１板状シリコンゴム成形体側から前記第１板状シリコンゴム成形体、前記筐体及び前記第２板状シリコンゴム成形体を貫通して設けられた柱部を有し断面形状がＴ字型をなす第１保持部材と、前記柱部の上部に形成されたねじ部と、前記第２板状シリコンゴム成形体の上部に重合され前記柱部が貫通して突出するように設けられた第２保持部材と、前記ねじ部に螺合され前記第２保持部材を前記第１板状シリコンゴム成形体側に付勢するための固定ナットとを備えた構成であり、また、前記柱部に嵌挿された輪状カラーは、前記筐体に形成された孔内に位置している構成であり、また、前記筐体の底部には、前記防振部材が複数個設けられている構成である。
【発明の効果】
【０００５】
本発明による空間安定装置の防振取付構造は、以上のように構成されているため、次のような効果を得ることができる。
すなわち、空間安定装置の筐体を一対の板状シリコンゴム成形体で挟持しているため、取付側の車輌等からの振動や衝撃は筐体側へ伝達されにくく、空間安定装置の内部に設けられたカメラに対する振動を効果的に防止することができる。
【発明を実施するための最良の形態】
【０００６】
本発明は、少なくとも一対の板状シリコンゴム成形体で筐体を挟持することにより、取付体の取付面からの振動や衝撃はこの板状シリコンゴム成形体で吸収されるようにした空間安定装置の防振取付構造を提供することを目的とする。
【実施例】
【０００７】
以下、図面と共に本発明による空間安定装置の防振取付構造の好適な実施の形態について説明する。
図１は本発明による空間安定装置の防振取付構造を示す外観図であり、内部にモータ駆動による三軸型の空間安定台と、この空間安定台上に設けられたカメラとを主として有する空間安定装置１であり、この空間安定装置１のドーム型をなす筐体２の底部３には複数の防振部材４が設けられている。
【０００８】
前記防振部材４は、図２及び図３で示されるように構成されている。
すなわち、車輌や飛翔体等の取付部材１０の取付面１１上に載置され金属等からなる第１保持部材１２には上方へ突出する中空部１２Ａａを有する棒状の柱部１２Ａが一体状に形成されており、この第１保持部材１２上には、第１板状シリコンゴム成形体１３、輪状カラー１４、第２板状シリコンゴム成形体１５及び第２保持部材１６が載置されている。
【０００９】
前述の各板状シリコンゴム成形体１３、１５、輪状カラー１４及び第２保持部材１６は、各々に形成された貫通孔１３ａ、１５ａ、１４ａ、１６ａに前記柱部１２Ａが貫通することにより、柱部１２Ａに対して同軸状に設けられている。
【００１０】
前記空間安定装置１の筐体２は、その孔２０が前記輪状カラー１４の外周に嵌挿して設けられていることにより、この筐体２は前記各板状シリコンゴム成形体１３、１５に挟持され、筐体２が各板状シリコンゴム成形体１３、１５によって浮動する浮動状態で配設されている。
【００１１】
前記柱部１２Ａの上部には、ねじ部１３ａが形成されており、このねじ部１３ａに固定ナット２１が螺合されていることにより、前記第２保持部材１６が第２板状シリコンゴム成形体１５及び筐体２を第１板状シリコンゴム成形体１３側に付勢し、各板状シリコンゴム成形体１３、１５、筐体２及び輪状カラー１４が一体状に構成されている。
【００１２】
前記第２保持部材１６の上面には、前記固定ナット２１の外周を囲むように、複数のねじ孔２２が形成され、このねじ孔２２の１個には回り止め用ボルト２３が設けられ、この回り止め用ボルト２３が図３のように固定ナット２１の外周に接合することにより、固定ナット２１の回り止めが達成されている。
【００１３】
従って、前述の構成において、取付部材１０側に振動や衝撃が発生又は伝達された場合、この振動や衝撃は各板状シリコンゴム成形体１３、１５によって吸収され、筐体２側への伝達を防止することができる。
【００１４】
尚、前述の各板状シリコンゴム成形体１３、１５に採用されている板状シリコンゴム成形体は、例えば、http://www.geltec.co.jp のサイトで公開されている周知の商標名アルファゲル材料（シリコンを板状に成形した構成）を用い、その硬さや粘度を選定することによって最適な防振状態とすることができる。尚、前述の各保持部材１２、１６と各板状シリコンゴム成形体１３、１５とは互いに接着剤にて固定されている。
【産業上の利用可能性】
【００１５】
本発明による空間安定装置の防振取付構造は、車輌等だけでなく、工作機等の設備関係における各種検出装置にも適用可能である。
【図面の簡単な説明】
【００１６】
【図１】本発明による空間安定装置の防振取付構造を示す概観図である。
【図２】図１のＡ部の拡大断面図である。
【図３】図２の平面図である。
【符号の説明】
【００１７】
１    空間安定装置
２    筐体
３    底部
４    防振部材
１０    取付部材
１１    取付面
１２    第１保持部材
１２Ａ    柱部
１３    第１板状シリコンゴム成形体
１３ａ    ねじ部
１４    輪状カラー
１５    第２板状シリコンゴム成形体
１６    第２保持部材
２０    孔
２１    固定ナット
２２    ねじ孔
２３    回り止め用ボルト
【図１】
2006194378.tif 000003
【図２】
2006194378.tif 000004
【図３】
2006194378.tif 000005